(57)【特許請求の範囲】
【請求項１】
スピーカを備えたナースコール親機と、マイクおよびスピーカを備えた複数のナースコール子機と、館内に設置された複数の館内スピーカとを備えて構成されたナースコールシステムであって、
前記ナースコール親機は、
一の前記ナースコール子機の前記マイクから入力された患者または医療従事者の音声の音声信号を、当該一のナースコール子機から受信する音声信号受信部と、
前記音声信号受信部によって受信された前記音声信号に基づいて、前記患者または前記医療従事者の前記音声を出力させる音声出力制御部と、
前記一のナースコール子機からのナースコールの呼び出しを受け付けた場合、前記音声出力制御部による前記患者の前記音声の出力先を前記ナースコール親機のスピーカとする一方、前記一のナースコール子機から放送を行わせるための所定の条件が満たされている場合、前記音声出力制御部による前記医療従事者の前記音声の出力先を、前記複数の館内スピーカの各々に切り替える切替部と
を備えることを特徴とするナースコールシステム。
【請求項２】
スピーカを備えたナースコール親機と、マイクおよびスピーカを備えた複数のナースコール子機とを備えて構成されたナースコールシステムであって、
前記ナースコール親機は、
一の前記ナースコール子機の前記マイクから入力された患者または医療従事者の音声の音声信号を、当該一のナースコール子機から受信する音声信号受信部と、
前記音声信号受信部によって受信された前記音声信号に基づいて、前記患者または前記医療従事者の前記音声を出力させる音声出力制御部と、
前記一のナースコール子機からのナースコールの呼び出しを受け付けた場合、前記音声出力制御部による前記患者の前記音声の出力先を前記ナースコール親機のスピーカとする一方、前記一のナースコール子機から放送を行わせるための所定の条件が満たされている場合、前記音声出力制御部による前記医療従事者の前記音声の出力先を、他の複数の前記ナースコール子機の各々に切り替える切替部と
を備えることを特徴とするナースコールシステム。
【請求項３】
前記ナースコール親機は、前記医療従事者による前記一のナースコール子機からの放送を認証する認証部をさらに備え、
前記切替部は、前記認証部によって前記医療従事者による前記一のナースコール子機からの放送が認証された場合に、前記一のナースコール子機から放送を行わせるための所定の条件が満たされている場合として、前記音声出力制御部による前記医療従事者の前記音声の出力先を切り替える
ことを特徴とする請求項１または２に記載のナースコールシステム。
【請求項４】
前記複数のナースコール子機の各々の近傍に設置された複数の無線タグリーダ装置をさらに備え、
前記認証部は、前記医療従事者が所持する無線タグから前記無線タグリーダ装置が読み取った情報に基づいて、前記医療従事者による前記一のナースコール子機からの放送を認証する
ことを特徴とする請求項３に記載のナースコールシステム。
【請求項５】
スピーカを備えたナースコール親機と、マイクおよびスピーカを備えた複数のナースコール子機と、館内に設置された複数の館内スピーカとを備えて構成されたナースコールシステムに用いられる前記ナースコール親機であって、
一の前記ナースコール子機の前記マイクから入力された患者または医療従事者の音声の音声信号を、当該一のナースコール子機から受信する音声信号受信部と、
前記音声信号受信部によって受信された前記音声信号に基づいて、前記患者または前記医療従事者の前記音声を出力させる音声出力制御部と、
前記一のナースコール子機からのナースコールの呼び出しを受け付けた場合、前記音声出力制御部による前記患者の前記音声の出力先を前記ナースコール親機のスピーカとする一方、前記一のナースコール子機から放送を行わせるための所定の条件が満たされている場合、前記音声出力制御部による前記医療従事者の前記音声の出力先を、前記複数の館内スピーカの各々に切り替える切替部と
を備えることを特徴とするナースコール親機。
【請求項６】
スピーカを備えたナースコール親機と、マイクおよびスピーカを備えた複数のナースコール子機とを備えて構成されたナースコールシステムに用いられる前記ナースコール親機であって、
一の前記ナースコール子機の前記マイクから入力された患者または医療従事者の音声の音声信号を、当該一のナースコール子機から受信する音声信号受信部と、
前記音声信号受信部によって受信された前記音声信号に基づいて、前記患者または前記医療従事者の前記音声を出力させる音声出力制御部と、
前記一のナースコール子機からのナースコールの呼び出しを受け付けた場合、前記音声出力制御部による前記患者の前記音声の出力先を前記ナースコール親機のスピーカとする一方、前記一のナースコール子機から放送を行わせるための所定の条件が満たされている場合、前記音声出力制御部による前記医療従事者の前記音声の出力先を、他の複数の前記ナースコール子機の各々に切り替える切替部と
を備えることを特徴とするナースコール親機。
【発明の詳細な説明】
【技術分野】
【０００１】
本発明は、ナースコールシステムおよびナースコール親機に関し、特に複数の館内スピーカまたは複数のナースコール子機に対して一斉に音声放送を行うことができるように構成されたナースコールシステムおよびナースコール親機に用いて好適なものである。
【背景技術】
【０００２】
従来、病院内に設置されたナースコールシステムは、看護師がナースコール親機から入力した音声を、複数の館内スピーカまたは複数のナースコール子機の各々から一斉に出力させることができるようになっている。これにより、火災などの緊急事態の発生時には、看護師がナースコール親機から館内または複数の患者の各々に対して一斉に避難を呼びかけることができるようになっている。
【０００３】
例えば、下記特許文献１には、看護師が、ナースコール親機において複数のナースコール子機または病室を選択して、ナースコール親機と複数のナースコール子機との間に送話路を形成することにより、ナースコール親機から複数の患者に対して一斉に放送を行うことができるようにした技術が開示されている。
【０００４】
なお、下記特許文献２には、ナースコール子機から呼び出しがあった場合、患者の近くにいる看護師を選択し、その看護師の近くのベッドサイドモニタに対して呼出信号を送信することにより、呼び出しを行った患者の近くにいる看護師にナースコールの応答をさせることができるようにした技術が開示されている。特に、下記特許文献２に開示されている技術では、看護師が携行するＩＤ情報発信装置から看護師のＩＤ情報をＩＤ認識装置によって読み取ることにより、そのＩＤ認識装置の位置を看護師の位置として特定するようにしている。
【先行技術文献】
【特許文献】
【０００５】
【特許文献１】特開２００９−８１５５３号公報
【特許文献２】特開２００９−２０７５４８号公報
【発明の概要】
【発明が解決しようとする課題】
【０００６】
しかしながら、上記特許文献１の技術では、ナースセンタ（ナースコール親機の設置場所の一例）から離れた場所において、看護師が緊急事態の発生を発見した場合、その看護師がナースセンタに移動してナースコール親機から自ら緊急の放送を行う必要がある。その代わりに、ナースセンタにいる他の看護師に通知して、その看護師に緊急の放送を代わりに行ってもらうことも可能であるが、この場合、ナースセンタに他の看護師が不在の場合には、緊急の放送を代わりに行ってもらうことができない。このように、上記特許文献１の技術では、ナースコール親機の設置場所から離れた場所からでは、緊急の放送を直ちに行うことができないといった問題が生じていた。
【０００７】
本発明は、このような問題を解決するために成されたものであり、ナースコール親機の設置場所から離れた場所から、医療従事者が直ちに緊急の放送を行うことができるようにすることを目的とする。
【課題を解決するための手段】
【０００８】
上記した課題を解決するために、本発明では、一のナースコール子機のマイクから入力された患者または医療従事者の音声を出力させるように構成されたナースコール親機において、一のナースコール子機からのナースコールの呼び出しを受け付けた場合、一のナースコール子機のマイクから入力された患者の音声の出力先をナースコール親機のスピーカとする一方、一のナースコール子機から放送を行わせるための所定の条件が満たされている場合、一のナースコール子機のマイクから入力された医療従事者の音声の出力先を、館内に設置された複数の館内スピーカ（または他の複数のナースコール子機）に切り替えるようにしている。
【発明の効果】
【０００９】
上記のように構成した本発明によれば、緊急事態を発見した医療従事者の近くに設置されているナースコール子機から放送を行わせるための所定の条件が満たされている状態で、医療従事者がそのナースコール子機のマイクから音声を入力すると、その音声信号がナースコール親機を介して複数の館内スピーカ（または他の複数のナースコール子機）に送信される。そして、医療従事者の音声が、複数の館内スピーカ（または他の複数のナースコール子機のスピーカ）から出力される。これにより、緊急事態を発見した医療従事者は、ナースコール親機の設置場所から離れた場所から、自身の近くにあるナースコール子機を用いて直ちに緊急の放送を行うことができる。
【図面の簡単な説明】
【００１０】
【図１】本発明の第１実施形態に係るナースコールシステムの全体構成例を示す図である。
【図２】本発明の第１実施形態に係るナースコールシステムの機能構成例を示すブロック図である。
【図３】本発明の第１実施形態に係るナースコールシステムによる放送処理の手順を示すフローチャートである。
【図４】本発明の第２実施形態に係るナースコールシステムの機能構成例を示すブロック図である。
【図５】本発明の第２実施形態に係るナースコールシステムによる放送処理の手順を示すフローチャートである。
【発明を実施するための形態】
【００１１】
以下、本発明の一実施形態を図面に基づいて説明する。
【００１２】
〔第１実施形態〕
（ナースコールシステムの全体構成）
図１は、本発明の第１実施形態に係るナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１３】
図１に示すように、第１実施形態に係るナースコールシステムは、ナースコール親機１、制御機２、廊下灯３、壁埋込形子機４、ハンド形子機５、無線タグリーダ装置６、無線タグ７および館内スピーカ８を備えて構成されている。第１実施形態のナースコールシステムは、患者毎の複数の壁埋込形子機４を備えており、複数の壁埋込形子機４の各々に対し、無線タグリーダ装置６が設けられている。また、第１実施形態のナースコールシステムは、複数の館内スピーカ８を備えている。
【００１４】
ナースコール親機１は、壁埋込形子機４またはハンド形子機５（以下、これらをまとめて「ナースコール子機」という）による患者からの呼び出しに対する応答の操作または患者の呼び出しの操作を行うためのものであり、例えばナースセンタに設置される。ナースコール親機１は、ナースコール子機からのナースコールの呼び出しを受けると、所定の呼出処理（例えば、呼出音を当該ナースコール親機１のスピーカ１ａ（図２参照）から出力する、呼出画面を当該ナースコール親機１のディスプレイに表示させる等）を実行する。ナースコール親機１は、ナースコール子機からのナースコールの呼び出しを受け付けて、この呼び出しに看護師が応じた場合には、患者がナースコール子機から入力した音声をスピーカ１ａから出力させることができる。また、ナースコール親機１は、医療従事者（例えば、医師、看護師等）が無線タグ７を無線タグリーダ装置６にかざすことにより壁埋込形子機４による放送が認証された場合には、医療従事者がその壁埋込形子機４から入力した音声を、複数の館内スピーカ８の各々から出力させることができる。
【００１５】
制御機２は、ナースコール親機１と廊下灯３との間に配置され、通話やデータの送受信に関する制御を行う。また、制御機２は、当該制御機２に接続された複数の館内スピーカ８からの音声出力に関する制御を行う。廊下灯３は、病室内の患者名が表示されるとともに、病室内の患者が看護師の呼び出しを行うと、呼び出しが行われたことが表示されるようになっている。
【００１６】
壁埋込形子機４は、特許請求の範囲に記載のナースコール子機の一例である。各壁埋込形子機４は、病室の各ベッドサイドの壁に埋め込み設置される。各壁埋込形子機４は、廊下灯３に接続されている。各壁埋込形子機４は、患者が看護師を呼び出すための呼出ボタン（図示省略）、患者が看護師と会話を行う際に使用するマイク４ａ（図２参照）およびスピーカ４ｂ（図４参照）、ハンド形子機５を接続するための接続端子（図示省略）、無線タグリーダ装置６を接続するための接続端子（図示省略）を備えている。マイク４ａは、医療従事者が壁埋込形子機４から入力した音声を、複数の館内スピーカ８の各々から出力させる際にも使用される。
【００１７】
ハンド形子機５は、壁埋込形子機４に接続される。ハンド形子機５は、患者が看護師を呼び出すための呼出ボタン、患者が看護師と会話を行う際に使用するマイクおよびスピーカを備えている。
【００１８】
無線タグ７は、複数の医療従事者の各々が所持する。無線タグ７には、医療従事者による壁埋込形子機４からの放送を認証するための情報（以下、「認証情報」と称する）が記憶されている。本実施形態では、認証情報の一例として、複数の無線タグ７の各々に対して、複数の医療従事者で共通の認証ＩＤが記憶されている。
【００１９】
無線タグリーダ装置６は、壁埋込形子機４の近傍に設置され、壁埋込形子機４に接続される。無線タグリーダ装置６は、当該無線タグリーダ装置６に対して医療従事者が無線タグ７をかざすと、当該無線タグ７から上述した認証ＩＤを読み取る。
【００２０】
館内スピーカ８は、館内の例えば病室や廊下の天井等に設置されている。館内スピーカ８は、制御機２に接続されている。館内スピーカ８からの音声出力は、ナースコール親機１によって制御機２を介して制御される。
【００２１】
このように構成された第１実施形態のナースコールシステムは、医療従事者が、任意の壁埋込形子機４からの放送をナースコール親機１に認証させた状態（壁埋込形子機４から放送を行わせるための所定の条件が満たされている状態）で、その壁埋込形子機４のマイク４ａから音声を入力すると、当該音声を複数の館内スピーカ８へ放送することができるようになっている。具体的には、医療従事者が近くの無線タグリーダ装置６に無線タグ７をかざすと、当該無線タグ７は電磁誘導により電力を発電し、当該電力を利用して認証ＩＤを無線タグリーダ装置６へ無線送信する。無線タグリーダ装置６は、無線タグ７から送信された認証ＩＤを受信すると、当該認証ＩＤを壁埋込形子機４に出力する。壁埋込形子機４は、当該認証ＩＤをナースコール親機１へ送信して、当該認証ＩＤの認証をナースコール親機１に行わせる。そして、ナースコール親機１が認証ＩＤを認証すると、ナースコール親機１は、この認証ＩＤを読み取った無線タグリーダ装置６に接続されている壁埋込形子機４から入力された音声の出力先を複数の館内スピーカ８へ切り替える。これにより、ナースコール親機１は、壁埋込形子機４から入力された音声を複数の館内スピーカ８から出力させることが可能な状態となる。この状態で医療従事者が壁埋込形子機４から音声を入力すると、その音声は複数の館内スピーカ８の各々から出力される。
【００２２】
（ナースコールシステムの機能構成）
図２は、本発明の第１実施形態に係るナースコールシステムの機能構成例を示すブロック図である。
【００２３】
図２に示すように、ナースコール親機１は、その機能構成として、認証要求受信部１０、認証部１１、通話路形成部１２、音声信号受信部１３、音声出力制御部１４および切替部１５を備えている。また、壁埋込形子機４は、その機能構成として、認証情報受信部４１、認証要求送信部４２、音声入力受付部４３および音声信号送信部４４を備えている。また、無線タグリーダ装置６は、その機能構成として、読取部６１および認証情報送信部６２を備えている。
【００２４】
ナースコールシステムが備える複数の壁埋込形子機４は、いずれも図２に示す壁埋込形子機４と同様の機能構成を有する。また、ナースコールシステムが備える複数の無線タグリーダ装置６は、いずれも図２に示す無線タグリーダ装置６と同様の機能構成を有する。
【００２５】
なお、上記各機能ブロック１０〜１５，４１〜４４，６１〜６２は、ハードウェア構成、ＤＳＰ、ソフトウェアの何れによっても実現することが可能である。例えばソフトウェアによって実現する場合、上記各機能ブロック１０〜１５，４１〜４４，６１〜６２は、実際にはコンピュータのＣＰＵあるいはＭＰＵ、ＲＡＭ、ＲＯＭ等を備えて構成され、ＲＡＭ、ＲＯＭ、ハードディスク、半導体メモリ等に記憶されたプログラムが動作することによって実現できる。
【００２６】
無線タグリーダ装置６の読取部６１は、医療従事者によって無線タグ７が当該無線タグリーダ装置６に対してかざされたときに、当該無線タグ７から認証ＩＤを読み取る。無線タグリーダ装置６の認証情報送信部６２は、読取部６１が読み取った認証ＩＤを、壁埋込形子機４へ送信する。
【００２７】
壁埋込形子機４の認証情報受信部４１は、無線タグリーダ装置６から送信された認証ＩＤを受信する。壁埋込形子機４の認証要求送信部４２は、認証情報受信部４１が受信した認証ＩＤを、廊下灯３および制御機２を介してナースコール親機１へ送信する。これにより、認証要求送信部４２は、ナースコール親機１に対して、医療従事者による当該壁埋込形子機４からの放送の認証を要求する。
【００２８】
ナースコール親機１の認証要求受信部１０は、壁埋込形子機４から廊下灯３および制御機２を介して送信された認証ＩＤを受信する。ナースコール親機１の認証部１１は、認証要求受信部１０が受信した認証ＩＤに基づいて、医療従事者による壁埋込形子機４からの放送を認証する。具体的には、認証部１１は、認証要求受信部１０が受信した認証ＩＤが、予め定められた認証ＩＤと一致した場合に、医療従事者による壁埋込形子機４からの放送を認証する。
【００２９】
認証部１１によって医療従事者による壁埋込形子機４からの放送が認証された場合、ナースコール親機１の切替部１５は、音声出力制御部１４による音声の出力先を、複数の館内スピーカ８に切り替える。また、ナースコール親機１の通話路形成部１２は、壁埋込形子機４との間に、制御機２および廊下灯３を介した通話路を形成する。これにより、ナースコール親機１は、壁埋込形子機４から入力された音声を複数の館内スピーカ８から出力させることが可能な状態となる。
【００３０】
一方、ナースコール親機１が壁埋込形子機４からのナースコールの呼び出しを受け付けて、看護師がこの呼び出しに応じた場合、ナースコール親機１の切替部１５は、音声出力制御部１４による音声の出力先を、ナースコール親機１が備えるスピーカ１ａに切り替える。また、ナースコール親機１の通話路形成部１２は、壁埋込形子機４との間に、制御機２および廊下灯３を介した通話路を形成する。これにより、ナースコール親機１は、壁埋込形子機４から入力された音声をスピーカ１ａから出力させることが可能な状態となる。
【００３１】
壁埋込形子機４の音声入力受付部４３は、医療従事者によるマイク４ａからの音声の入力を受け付ける。音声信号送信部４４は、音声入力受付部４３が医療従事者の音声の入力を受け付けた場合、ナースコール親機１との間に形成された通話路を介して、当該音声の音声信号をナースコール親機１へ送信する。
【００３２】
ナースコール親機１の音声信号受信部１３は、壁埋込形子機４から上記通話路を介して送信された音声信号を受信する。ナースコール親機１の音声出力制御部１４は、音声信号受信部１３が受信した音声信号に基づいて、医療従事者が壁埋込形子機４のマイク４ａから入力した音声を出力する。ここで、切替部１５によって音声の出力先が複数の館内スピーカ８に切り替えられている場合（すなわち、放送が認証された壁埋込形子機４から送信された音声信号を音声信号受信部１３が受信した場合）、音声出力制御部１４は、医療従事者が壁埋込形子機４のマイク４ａから入力した音声を、制御機２を介して複数の館内スピーカ８の各々から出力させる。一方、切替部１５によって音声の出力先がナースコール親機１のスピーカ１ａに切り替えられている場合（すなわち、ナースコールの呼び出し元の壁埋込形子機４から送信された音声信号を音声信号受信部１３が受信した場合）、音声出力制御部１４は、医療従事者が壁埋込形子機４のマイク４ａから入力した音声を、スピーカ１ａから出力させる。
【００３３】
（ナースコールシステムによる放送処理の手順）
図３は、本発明の第１実施形態に係るナースコールシステムによる放送処理の手順を示すフローチャートである。図３に例示する処理は、医療従事者が、無線タグリーダ装置６に対して無線タグ７をかざしたときに開始される。
【００３４】
まず、無線タグリーダ装置６の読取部６１が、医療従事者が所持する無線タグ７から認証ＩＤを読み取る（ステップＳ３０２）。次に、無線タグリーダ装置６の認証情報送信部６２が、ステップＳ３０２で読み取った認証ＩＤを、壁埋込形子機４へ送信する（ステップＳ３０４）。
【００３５】
そして、壁埋込形子機４の認証情報受信部４１が、ステップＳ３０４で無線タグリーダ装置６から送信された認証ＩＤを受信すると（ステップＳ３０６）、壁埋込形子機４の認証要求送信部４２が、ステップＳ３０６で受信した認証ＩＤを含む認証要求を、廊下灯３および制御機２を介してナースコール親機１へ送信する（ステップＳ３０８）。
【００３６】
そして、ナースコール親機１の認証要求受信部１０が、ステップＳ３０８で壁埋込形子機４から送信された認証要求を受信すると（ステップＳ３１０）、ナースコール親機１の認証部１１が、ステップＳ３１０で受信した認証要求に含まれている認証ＩＤに基づいて、医療従事者による壁埋込形子機４からの放送を認証する（ステップＳ３１２）。そして、ステップＳ３１２にて医療従事者による壁埋込形子機４からの放送が認証されると、ナースコール親機１の切替部１５が、壁埋込形子機４から入力された音声の出力先を複数の館内スピーカ８に切り替える（ステップＳ３１３）。また、ナースコール親機１の通話路形成部１２が、壁埋込形子機４との通話路を形成する（ステップＳ３１４）。
【００３７】
その後、壁埋込形子機４の音声入力受付部４３が、医療従事者によるマイク４ａからの音声の入力を受け付けると（ステップＳ３１６）、壁埋込形子機４の音声信号送信部４４が、ステップＳ３１６で入力された医療従事者の音声の音声信号を、ステップＳ３１４で形成された通話路を介して、ナースコール親機１へ送信する（ステップＳ３１８）。
【００３８】
そして、ナースコール親機１の音声信号受信部１３が、ステップＳ３１８で壁埋込形子機４から送信された音声信号を受信すると（ステップＳ３２０）、ナースコール親機１の音声出力制御部１４が、ステップＳ３２０で受信した音声信号に基づく音声（すなわち、ステップＳ３１６で医療従事者が壁埋込形子機４のマイク４ａから入力した音声）を、制御機２を介して複数の館内スピーカ８の各々から出力させる（ステップＳ３２２）。
【００３９】
その後、所定の終了操作(例えば、壁埋込形子機４が備える所定のボタンの入力操作、無線タグ７に記憶されている認証ＩＤを再度無線タグリーダ装置６に読み取らせる操作等)を医療従事者が行うことにより、ステップＳ３１４で形成された通話路が切断されるまでの間は、医療従事者が壁埋込形子機４のマイク４ａから音声を入力する毎に、その音声が複数の館内スピーカ８の各々から出力されることとなる。そして、壁埋込形子機４に対する所定の終了操作を医療従事者が行い、その操作信号に基づいてナースコール親機１がステップＳ３１４で形成された通話路を切断すると、ナースコールシステムは、図３に例示する処理を終了する。
【００４０】
なお、医療従事者が放送に用いる壁埋込形子機４として、複数の壁埋込形子機４のいずれを選択した場合であっても、本実施形態のナースコールシステムは、選択された壁埋込形子機４を用いて、図３に例示する処理と同様の処理を行う。すなわち、本実施形態のナースコールシステムは、いずれの壁埋込形子機４からも、複数の館内スピーカ８への放送を行うことができるようになっている。
【００４１】
以上のように、上記第１実施形態では、無線タグ７に記憶されている認証ＩＤに基づく認証がなされると、ナースコール親機１が複数の館内スピーカ８への放送が可能な状態となる。その状態で、医療従事者が壁埋込形子機４のマイク４ａから音声を入力すると、その音声信号がナースコール親機１を介して複数の館内スピーカ８に送信される。そして、医療従事者の音声が、複数の館内スピーカ８の各々から出力される。これにより、緊急事態を発見した医療従事者は、ナースコール親機１の設置場所から離れた場所から、近くの壁埋込形子機４を用いて直ちに緊急の放送を行うことができる。
【００４２】
また、上記第１実施形態では、医療従事者が無線タグ７を無線タグリーダ装置６にかざさなければ、ナースコール親機１は複数の館内スピーカ８への放送が可能な状態とならない。これにより、上記第１実施形態では、患者のいたずらや誤操作による放送を防止することができる。
【００４３】
〔第２実施形態〕
次に、本発明の第２実施形態について説明する。この第２実施形態では、医療従事者が一の壁埋込形子機４’から入力した音声を、他の複数の壁埋込形子機４’へ放送することができるようにしている。以下、第２実施形態に係るナースコールシステムに関し、第１実施形態からの変更点について説明する。
【００４４】
（ナースコールシステムの機能構成）
図４は、本発明の第２実施形態に係るナースコールシステムの機能構成例を示すブロック図である。図４に示すナースコール親機１’は、通話路形成部１２に代えて通話路形成部１２’を備える点、音声出力制御部１４に代えて音声出力制御部１４’を備える点、切替部１５に代えて切替部１５’を備える点で、図２に示したナースコール親機１と異なる。また、図４に示す壁埋込形子機４’は、音声信号受信部４５および音声出力部４６をさらに備える点で、図２に示した壁埋込形子機４と異なる。
【００４５】
この第２実施形態では、認証部１１によって医療従事者による壁埋込形子機４’からの放送が認証された場合、ナースコール親機１’の切替部１５’は、音声出力制御部１４’による音声の出力先を、他の複数の壁埋込形子機４’に切り替える。また、ナースコール親機１’の通話路形成部１２’は、一の壁埋込形子機４’（認証ＩＤによる認証がなされた壁埋込形子機４’）との間に制御機２および廊下灯３を介した通話路を形成するとともに、他の複数の壁埋込形子機４’の各々との間にも、制御機２および廊下灯３を介した通話路を形成する。これにより、ナースコール親機１’は、一の壁埋込形子機４’から入力された音声を他の複数の壁埋込形子機４’の各々のスピーカ４ｂから出力させることが可能な状態となる。
【００４６】
そして、切替部１５によって音声の出力先が他の複数の壁埋込形子機４’に切り替えられている場合（すなわち、放送が認証された壁埋込形子機４’から送信された音声信号を音声信号受信部１３が受信した場合）、音声出力制御部１４は、医療従事者が壁埋込形子機４’のマイク４ａから入力した音声を、制御機２および廊下灯３を介して他の複数の壁埋込形子機４’の各々のスピーカ４ｂから出力させる。
【００４７】
具体的には、音声出力制御部１４’は、音声信号受信部１３が受信した音声信号を、制御機２および廊下灯３を介して他の複数の壁埋込形子機４’の各々へ送信する。他の複数の壁埋込形子機４’の各々においては、音声信号受信部４５が、ナースコール親機１’から送信された音声信号を受信する。そして、音声出力部４６が、音声信号受信部４５が受信した音声信号に基づく音声（すなわち、医療従事者が一の壁埋込形子機４’のマイク４ａから入力した音声）をスピーカ４ｂから出力させる。
【００４８】
一方、切替部１５によって音声の出力先がナースコール親機１のスピーカ１ａに切り替えられている場合（すなわち、ナースコールの呼び出し元の壁埋込形子機４から送信された音声信号を音声信号受信部１３が受信した場合）、音声出力制御部１４は、医療従事者が壁埋込形子機４のマイク４ａから入力した音声を、スピーカ１ａから出力させる。
【００４９】
（ナースコールシステムによる放送処理の手順）
図５は、本発明の第２実施形態に係るナースコールシステムによる放送処理の手順を示すフローチャートである。図５に示す第２実施形態の放送処理の手順は、ステップＳ３１３に代えてステップＳ３１３’を有する点、ステップＳ３１４に代えてステップＳ３１４’を有する点、ステップＳ３２２に代えてステップＳ３２２’を有する点、および、ステップＳ３２４’，Ｓ３２６’をさらに有する点で、図３に示した第１実施形態の放送処理の手順と異なる。なお、図５に示す第２実施形態の放送処理の手順において、ステップＳ３０２〜Ｓ３１２，Ｓ３１６〜Ｓ３２０は、図３に示した第１実施形態の放送処理の手順と同様であるため、説明を省略する。
【００５０】
この第２実施形態では、ステップＳ３１２にて医療従事者による壁埋込形子機４’からの放送が認証されると、ナースコール親機１’の切替部１５’が、壁埋込形子機４’から入力された音声の出力先を他の複数の壁埋込形子機４’に切り替える（ステップＳ３１３’）。また、ナースコール親機１’の通話路形成部１２’が、一の壁埋込形子機４’（認証ＩＤによる認証がなされた壁埋込形子機４’）との通話路を形成するとともに、他の複数の壁埋込形子機４’の各々との通話路を形成する（ステップＳ３１４’）。
【００５１】
また、この第２実施形態では、ナースコール親機１の音声信号受信部１３が、ステップＳ３１８で壁埋込形子機４’から送信された音声信号を受信すると（ステップＳ３２０）、ナースコール親機１’の音声出力制御部１４’が、ステップＳ３２０で受信した音声信号を、制御機２および廊下灯３を介して他の複数の複数の壁埋込形子機４’の各々へ送信する（ステップＳ３２２’）。なお、便宜上、図５では、一の壁埋込形子機４’を音声信号の送信先に含めているが、実際には、他の複数の壁埋込形子機４’の各々が音声信号の送信先となる。
【００５２】
そして、他の複数の壁埋込形子機４’の各々においては、音声信号受信部４５が、ナースコール親機１’から送信された音声信号を受信する（ステップＳ３２４’）。そして、音声出力部４６が、ステップＳ３２４’で受信した音声信号に基づく音声（すなわち、ステップＳ３１６で医療従事者が壁埋込形子機４’のマイク４ａから入力した音声）をスピーカ４ｂから出力させる（ステップＳ３２６’）。
【００５３】
以上のように、上記第２実施形態では、無線タグ７に記憶されている認証ＩＤに基づく認証がなされると、ナースコール親機１’が他の複数の壁埋込形子機４’の各々への放送が可能な状態となる。その状態で、医療従事者が一の壁埋込形子機４’のマイク４ａから音声を入力すると、その音声信号がナースコール親機１’を介して他の複数の壁埋込形子機４’の各々に送信される。そして、医療従事者の音声が、他の複数の壁埋込形子機４’の各々のスピーカ４ｂから出力される。これにより、緊急事態を発見した医療従事者は、ナースコール親機１’の設置場所から離れた場所から、近くの壁埋込形子機４’を用いて直ちに緊急の放送を行うことができる。
【００５４】
また、上記第２実施形態では、医療従事者が無線タグ７を無線タグリーダ装置６にかざさなければ、ナースコール親機１’は他の複数の壁埋込形子機４’の各々への放送が可能な状態とならない。これにより、上記第２実施形態では、患者のいたずらや誤操作による放送を防止することができる。
【００５５】
なお、上記第１実施形態および上記第２実施形態では、ナースコール親機１が認証ＩＤによる認証を行うようにしているが、これに限らない。例えば、無線タグリーダ装置６（または、無線タグリーダ装置６と接続された認証サーバ）が、認証ＩＤによる認証を行い、その認証結果をナースコール親機１に通知するようにしてもよい。
【００５６】
また、上記第１実施形態および上記第２実施形態では、複数の医療従事者で共通の認証ＩＤを用いているが、複数の医療従事者毎にそれぞれ異なる認証ＩＤ（例えば、無線タグＩＤ、医師ＩＤ、看護師ＩＤ等）を用いるようにしてもよい。この場合、無線タグ７から認証ＩＤを読み取ることにより、その認証ＩＤから医療従事者を特定できるように構成してもよい。これにより、例えば、特定の医療従事者のみが壁埋込形子機４からの放送を行うことができるようにしたりすることができる。
【００５７】
また、上記第１実施形態および上記第２実施形態では、無線タグ７から読み取った認証ＩＤを認証することにより、ナースコール親機１を複数の館内スピーカ８（または、他の複数の壁埋込形子機４’）への放送が可能な状態に切り替えるようにしているが、これ以外の方法により、ナースコール親機１を複数の館内スピーカ８（または、他の複数の壁埋込形子機４’）への放送が可能な状態に切り替えるようにしてもよい。
【００５８】
例えば、公知の各種認証技術（例えば、指紋認証、静脈認証、顔認証、虹彩認証、パスワード認証等）によって医療従事者を認証することにより、ナースコール親機１を複数の館内スピーカ８（または、他の複数の壁埋込形子機４’）への放送が可能な状態に切り替えるようにしてもよい。また、壁埋込形子機４，４’に対して医療従事者によって特定の操作が行われたりした場合に、ナースコール親機１に対して複数の館内スピーカ８（または、他の複数の壁埋込形子機４’）への放送が可能な状態に切り替えることを要求するようにしてもよい。この場合、特定の操作は、医療従事者以外の者が容易に行うことができない操作であることが好ましい。
【００５９】
また、上記第１実施形態および上記第２実施形態において、壁埋込形子機４，４’が備える機能の一部または全部をハンド形子機５に設けてもよい。また、トイレ、風呂などの共用施設に設置されたナースコール子機からでも、上述の壁埋込形子機４，４’と同様に放送を行うことができるようにしてもよい。
【００６０】
その他、上記第１実施形態および上記第２実施形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６１】
１，１’  ナースコール親機
１ａ  スピーカ
１０  認証要求受信部
１１  認証部
１２，１２’  通話路形成部
１３  音声信号受信部
１４，１４’  音声出力制御部
１５，１５’  切替部
４，４’  壁埋込形子機（ナースコール子機）
４ａ  マイク
４ｂ  スピーカ
４１  認証情報受信部
４２  認証要求送信部
４３  音声入力受付部
４４  音声信号送信部
４５  音声信号受信部
４６  音声出力制御部
５  ハンド形子機
６  無線タグリーダ装置
６１  読取部
６２  認証情報送信部
７  無線タグ
８  館内スピーカ
【図１】
0006595749.tif 000002
【図２】
0006595749.tif 000003
【図３】
0006595749.tif 000004
【図４】
0006595749.tif 000005
【図５】
0006595749.tif 000006